(57)【要約】【課題】雨水等の侵入による手摺り支柱の破損を回避できる手摺り支柱の取付構造を提供する。【解決手段】堰壁１に形成された支柱取付穴２の底部に設けてあるアンカー金物３に支柱取付基材４を固着し、支柱取付基材４に筒状の手摺り支柱５の下端部を外嵌し、堰壁１の支柱取付穴２にグラウト材６を注入して、手摺り支柱５を支柱取付基材４に固定するようにした手摺り支柱５の取付構造である。手摺り支柱５の下端部に上下方向に長いグラウト材流込用の長孔７を設け、手摺り支柱５の下端部を支柱取付基材４に外嵌するにあたり、支柱側長孔７の上端が堰壁上面１ａより上位に位置するように手摺り支柱５を支柱取付基材４に外嵌し、支柱取付穴２に注入して固化したグラウト材６の上面レベルが、手摺り支柱５の内外において堰壁上面１ａとほぼ面一となるようにする。【選択図】図２
2014133976.tif 000002
【特許請求の範囲】
【請求項１】
ベランダ等の堰壁に形成された支柱取付穴の底部に設けたアンカー金物に支柱取付基材を固着し、この支柱取付基材に筒状の手摺り支柱の下端部を外嵌し、前記支柱取付穴にグラウト材を注入して、手摺り支柱を支柱取付基材に固定するようにした手摺り支柱の取付構造であって、
手摺り支柱の下端部に上下方向に長いグラウト材流込用の長孔を設け、手摺り支柱の下端部を支柱取付基材に外嵌するにあたり、手摺り支柱の長孔の上端が堰壁上面よりも上位に位置するように手摺り支柱を支柱取付基材に外嵌し、しかして支柱取付穴に注入して固化したグラウト材の上面レベルが、手摺り支柱の内外において堰壁上面とほぼ面一となるようにした手摺り支柱の取付構造。
【請求項２】
支柱取付基材は筒状であって、この筒状基材には手摺り支柱の長孔と対面重合し得る位置に、上下に長いグラウト材流込用の長孔を設け、手摺り支柱の下端部を支柱取付基材に外嵌するにあたり、支柱側長孔の上端が堰壁上面よりも上位に位置し、基材側長孔が支柱側長孔と少なくとも部分的に対面重合するように支柱を支柱取付基材に外嵌し、しかして支柱取付穴に注入して固化したグラウト材の上面レベルが、手摺り支柱及び支柱取付基材の内外において堰壁上面とほぼ面一となるようにした請求項１に記載の手摺り支柱の取付構造。
【請求項３】
手摺り支柱の下端部にボルト挿通孔を設け、筒状の支柱取付基材には上下方向に長い固定位置調整用の長孔を設け、これらボルト挿通孔と固定位置調整用長孔とに亘ってボルトを挿通してナットで締め付けることにより、手摺り支柱の下端部を所要高さ位置で支柱取付基材に固定するようにした請求項２に記載の手摺り支柱の取付構造。
【請求項４】
グラウト材は無収縮グラウト材からなる請求項１〜３の何れかに記載の手摺り支柱の取付構造。
【発明の詳細な説明】
【技術分野】
【０００１】
本発明は、ベランダや屋上等の堰壁に立設される手摺り支柱の取付構造に関する。
【背景技術】
【０００２】
図４の(a) 〜(c) は従来の手摺り支柱の取付構造を示したもので、これは、例えばベランダの堰壁１に形成された支柱取付穴２の底部に設けてあるアンカー金物３に、角筒状の支柱取付基材１４を溶接によって固着し、この支柱取付基材１４に角筒状の手摺り支柱１５の下端部を外嵌し、そして手摺り支柱１５を所要高さ位置に保持した状態で、堰壁１の支柱取付穴２にグラウト材６を注入して、手摺り支柱１５を支柱取付基材１４に固定するようにした構造である。
【０００３】
上記手摺り支柱の取付構造の施工において、支柱取付穴２内に固定された支柱取付基材１４に手摺り支柱１５の下端部を外嵌して、所要高さ位置に保持した状態で、手摺り支柱１５の下端部周辺から支柱取付穴２にグラウト材６を注入すると、そのグラウト材６は、支柱取付穴２の底部より漸次溜まりながら上がってゆき、最終的にグラウト材６の上面レベルが図４の(b) ，(c) に示すように堰壁１の上面とほぼ面一となるようにする。グラウト材６の一部は、支柱取付基材１４と手摺り支柱１５の隙間からその内部に入り込む。
【発明の概要】
【発明が解決しようとする課題】
【０００４】
上記従来の手摺り支柱の取付構造では、手摺り支柱１５の下端部周辺から支柱取付穴２に注入したグラウト材６は、手摺り支柱５下端から支柱取付基材１４と手摺り支柱１５との隙間に入り込むが、手摺り支柱５内部の空気圧力もあって、その隙間の下部側にしかグラウト材６が詰め込まれておらず、その空間部Ｓの上部側は空洞状態となっているため、雨水等が、手摺り支柱１５の上端部に取り付けられる笠木等との結合部やビス孔等の微小隙間から毛細管現象によって手摺り支柱１５内に侵入した場合、その侵入した雨水等は、手摺り支柱１４の内面伝いに流下して、支柱取付基材１４と手摺り支柱１５との間の空間部Ｓに溜まり、この溜まった雨水等が気温の低下により凍結して、手摺り支柱１５を破裂させることがある。
【０００５】
本発明は、上記の事情に鑑みてなされたもので、雨水等の侵入による手摺り支柱の破損を確実に回避できる手摺り支柱の取付構造を提供することを目的としている。
【課題を解決するための手段】
【０００６】
上記課題を解決するための手段を、後述する実施形態の参照符号を付して説明すると、請求項１に係る発明は、ベランダ等の堰壁１に形成された支柱取付穴２の底部に設けてあるアンカー金物３に支柱取付基材４を固着し、この支柱取付基材４に筒状の手摺り支柱５の下端部を外嵌し、堰壁１の支柱取付穴２にグラウト材６を注入して、手摺り支柱５を支柱取付基材４に固定するようにした手摺り支柱５の取付構造であって、
手摺り支柱５の下端部に上下方向に長いグラウト材流込用の長孔７を設け、手摺り支柱５の下端部を支柱取付基材４に外嵌するにあたり、支柱側長孔７の上端が堰壁上面１ａよりも上位に位置するように手摺り支柱５を支柱取付基材４に外嵌し、しかして支柱取付穴２に注入して固化したグラウト材６の上面レベルが、手摺り支柱５の内外において堰壁上面１ａとほぼ面一となるようにしたことを特徴とする。
【０００７】
請求項２は、支柱取付基材４は筒状であって、この筒状基材４には手摺り支柱５の長孔７と対面重合し得る位置に、上下に長いグラウト材流込用の長孔８を設け、手摺り支柱５の下端部を支柱取付基材４に外嵌するにあたり、支柱側長孔７の上端が堰壁上面１ａよりも上位に位置し、基材側長孔８が支柱５側の長孔７と少なくとも部分的に対面重合するように支柱１を支柱取付基材４に外嵌し、しかして支柱取付穴２に注入して固化したグラウト材６の上面レベルが、手摺り支柱５及び支柱取付基材４の内外において堰壁上面１ａとほぼ面一となるようにしたことを特徴とする。
【０００８】
請求項３は、請求項２に記載の手摺り支柱の取付構造において、手摺り支柱５の下端部にボルト挿通孔１１を設け、筒状の支柱取付基材４には上下方向に長い固定位置調整用の長孔１０を設け、これらボルト挿通孔１０と固定位置調整用長孔１１とに亘ってボルト１２を挿通してナット１３で締め付けることにより、手摺り支柱５の下端部を所要高さ位置で支柱取付基材４に固定するようにしたことを特徴とする。
【０００９】
請求項４は、請求項１〜３の何れかに記載の手摺り支柱の取付構造において、グラウト材６は無収縮グラウト材からなることを特徴とする。
【発明の効果】
【００１０】
上記解決手段による発明の効果を、後述する実施形態の参照符号を付して説明すると、請求項１に係る発明によれば、手摺り支柱５の下端部に上下方向に長いグラウト材流込用の長孔７を設け、手摺り支柱５の下端部を支柱取付基材４に外嵌するにあたり、手摺り支柱５の長孔７の上端が堰壁上面１ａより上位に位置するように手摺り支柱５を支柱取付基材４に外嵌するから、手摺り支柱５の外周側から支柱取付穴２にグラウト材６を注入する際に、手摺り支柱５の内部、及び手摺り支柱５と支柱取付基材４の間の空間部Ｓは、手摺り支柱５の長孔７が空気抜きとなって外気と通じているため、グラウト材６は、手摺り支柱５の下端側から空間部Ｓ内へ容易に入り込むと共に、グラウト材流込用長孔７からも空間部Ｓへ積極的に入り込み、しかして施工後に固化したグラウト材６の上面レベルを、手摺り支柱５の内外において堰壁上面１ａとほぼ面一にすることができる。従って、雨水等が、手摺り支柱５の上端部に取り付けられる笠木等との結合部やビス孔等の微小隙間から毛細管現象によって手摺り支柱５内に侵入し、その侵入した雨水等が手摺り支柱５と支柱取付基材４との間の空間部Ｓに溜まるような場合、その雨水等を支柱側長孔７の上端部側から手摺り支柱５の外部に排出させることができるから、上記空間部Ｓに溜まった雨水等が気温の低下により凍結して破裂すると云うような手摺り支柱５の破損を確実に回避できる。
【００１１】
請求項２に係る発明によれば、筒状基材４には手摺り支柱５の長孔７と対面重合し得る位置にグラウト材流込用の長孔８を設けて、手摺り支柱５の下端部を支柱取付基材４に外嵌するにあたり、支柱側長孔７の上端が堰壁上面１ａよりも上位に位置し且つ基材側長孔８が支柱５側の長孔７と少なくとも部分的に対面重合するように支柱１を支柱取付基材４に外嵌することにより、手摺り支柱５の外周側から支柱５内部及び支柱取付基材４内部へのグラウト材６の流し込みを迅速且つ有効に行なわせることができる。また、支柱５側の上下に長い長孔７と基材４側の上下に長い長孔８とが少なくとも部分的に対面重合するように配置されるから、グラウト材６を、手摺り支柱５の外側から支柱取付基材４の内部へとスムーズに且つ有効に流し込むことができる。また、支柱取付基材４をその内周側と外周側の両側からグラウト材６で保持するため、支柱取付基材４を支柱取付穴２内に強固に固定することができる。
【００１２】
請求項３に係る発明によれば、手摺り支柱５の下端部にボルト挿通孔１１を設け、筒状の支柱取付基材４に固定位置調整用の長孔１０を設け、これらボルト挿通孔１０と固定位置調整用長孔１１とにボルト１２を挿通してナット１３で締め付けることにより、手摺り支柱５の下端部を所要高さ位置で支柱取付基材４に固定する場合は、手摺り支柱５を支柱取付基材４に対し所要高さ位置に簡単容易に保持でき、また支柱取付基材４の固定位置調整用長孔１０により、支柱取付基材４内へのグラウト材６の流し込みを促進できる。
【００１３】
請求項４に係る発明によれば、グラウト材６が無収縮グラウト材であるため、施工直後における支柱取付穴２内のグラウト材６の上面レベルが堰壁１の上面１ａとほぼ面一状態であれば、グラウト材６は、硬化後もその上面レベルを維持することができる。
【図面の簡単な説明】
【００１４】
【図１】(a) は本発明に係る手摺り支柱の取付構造を示す断面説明図、(b) は(a) のＡ−Ａ線断面図である。
【図２】図１の(a) のＢ−Ｂ線断面図である。
【図３】(a) 〜(c) はグラウト材の注入充填状態を示す説明図である。
【図４】(a) は従来の手摺り支柱の取付構造を示す断面説明図、(b) は(a) のＣ−Ｃ線断面図、(c) は(a) のＤ−Ｄ線断面図である。
【発明を実施するための形態】
【００１５】
以下に本発明の好適な一実施形態を図面に基づいて説明する。なお、以下に説明する実施形態は、特許請求の範囲に記載された本発明の内容を限定するものではない。また、以下に説明される構成の全てが、本発明の必須要件であるとは限らない。
【００１６】
図１の(a) ，(b) において、１は例えばベランダの屋外側端部に突設された堰壁、２は堰壁１の手摺り支柱取付位置に形成された支柱取付穴である。３は支柱取付穴２の底部に露出するように堰壁１に埋設された鉄板製のアンカー金物である。４は支柱取付穴２内のアンカー金物３に溶接により固着されて垂直上向きに突設された支柱取付基材で、角形鋼管によって形成されたものである。５はアルミ押出形材からなる角筒状の手摺り支柱で、内側の四隅部にビスポケット５ｏが形成されており、図１の(a) に示すように、この角筒状手摺り支柱５の下端部が支柱取付基材４に外嵌される。なお、アンカー金物３の下部にはこれを支持するアンカー金物１６が連設されている。
【００１７】
図１の(a) ，(b) に示すように、角筒状手摺り支柱５の下端側には対向する側壁５ａ，５ａに、上下方向に長いグラウト材流込用の長孔７，７を形成し、また手摺り支柱５が外嵌される支柱取付基材４には対向する側壁４ａ，４ａに、各支柱側長孔７と対面重合し得る位置に上下方向に長いグラウト材流込用の長孔８を形成している。
【００１８】
また図１の(a) に示すように、手摺り支柱５には他の側壁５ｂの下端部にボルト挿通孔１０を設け、支柱取付基材４の側壁４ｂの所要部には上下方向に長い固定位置調整用の長孔１１を設け、しかしてこれらボルト挿通孔１０と固定位置調整用長孔１１とに亘ってワッシャー付きのボルト１２を挿通してワッシャー付きナット１３で締め付けることにより、手摺り支柱５の下端部を所要高さ位置で支柱取付基材４に固定することができる。なお、支柱取付基材４に設けた固定位置調整用長孔１１は、前記グラウト材流込用長孔７，８と同様なグラウト材流込用長孔としても機能する。
【００１９】
図３の(a) 〜(c) は、手摺り支柱５を支柱取付穴２内の支柱取付基材４に固定するにあたって、支柱取付穴２内に注入されるグラウト材６の流し込み状態を示したものである。なお、このグラウト材６は、セメント系無収縮グラウト材で、セメント、骨材、無収縮材等をブレンドしたもので、使用にあたり、水を加えて混練することによって、高流動性のグラウト材となる。
【００２０】
先ず、支柱取付穴２内のアンカー金物３に手摺り支柱５の下端部を外嵌固定するにあたり、図３の(a) に示すように、支柱側長孔７の上端が堰壁上面よりも上位に位置し、且つ基材側長孔８が支柱側長孔と部分的に対面重合すると共に、基材側長孔８の下端が支柱側長孔７の下端より下位に位置するように手摺り支柱５を支柱取付基材４に外嵌して、所要高さ位置に固定した状態で、手摺り支柱５の下端部外周側と支柱取付穴２内周側との間にグラウト材注入用ホース１７を挿入して、グラウト材６を支柱取付穴２内に注入すると、そのグラウト材６は、同図の(a) に示すように、支柱取付穴２の内底部で支柱取付基材４の周りを回って漸次溜まりながら、支柱取付基材４の基材側長孔８から手摺り支柱５と支柱取付基材４との間の空間部Ｓに下方より入り込んでゆき、更にグラウト材６は、同図の(b) に示すように、手摺り支柱５の外周側から支柱側長孔７を通って手摺り支柱５と支柱取付基材４との間の空間部Ｓに流入すると共に、基材側長孔８から支柱取付基材４内に流れ込んでゆく。
【００２１】
しかして、グラウト材６が支柱取付穴２内における手摺り支柱５の外周側で溢れる状態となるころに、グラウト材注入用ホース１７によるグラウト材６の注入を停止させると、手摺り支柱５と支柱取付基材４との間の空間部Ｓ及び支柱取付基材４内におけるグラウト材６の上面レベルは、図３の(c) に示すように堰壁上面１ａとほぼ面一となる。なお、手摺り支柱５の外周側で支柱取付穴２から溢れ出たグラウト材６は、生乾き状態となった頃に堰壁上面１ａと面一状態に削り落とすようにすればよい。
【００２２】
上記のような支柱取付穴２内へのグラウト材６の流し込みにおいて、手摺り支柱５側の長孔７は、グラウト材６を手摺り支柱５の外側からその内側へ流し込む機能を有すると共に、長孔７の上端が堰壁上面１ａよりも上位に位置するため支柱５内部の空気が抜けて、支柱５内部へのグラウト材６の流し込みを容易にする機能を有し、そして手摺り支柱５の取付後は、手摺り支柱５と支柱取付基材４との間の空間部Ｓに雨水等が溜まった場合に、その溜まった雨水等を外部へ排出する（図２参照）機能を有する。
【００２３】
また手摺り支柱５の下端部を支柱取付基材４に外嵌固定するにあたっては、上下に長い基材側長孔８が同じく上下に長い支柱側長孔７と部分的に対面重合すると共に、基材側長孔８の下端が支柱側長孔７の下端よりも下位に位置するように手摺り支柱５が支柱取付基材４に外嵌固定されるから、手摺り支柱５の外周側にあるグラウト材６を、支柱側長孔７から基材側長孔８を通して支柱取付基材４内へ迅速容易に流し込むことができる。なお、支柱側長孔７及び基材側長孔８は、手摺り支柱５及び支柱取付基材４に対し夫々複数設けることができるが、数が多くなると、支柱５及び基材４の強度が落ちるため、実施形態のように相対向する側壁５ａ，５ａ及び４ａ，４ａに夫々２つ設けるのがよい。
【００２４】
この実施形態では、図２及び図３から分かるように、支柱側長孔７と基材側長孔８とは長さが同じで、取付状態において基材側長孔８の上端が支柱側長孔７の下部側に位置し且つ基材側長孔８の下端が支柱側長孔７の下端より下方に位置しているが、支柱側長孔７と基材側長孔８とが同じ位置で全面的に対面重合するようにしてもよい。しかし、この実施形態のような配置にすれば、手摺り支柱５の外周側から支柱５内部及び支柱取付基材４内部へのグラウト材６の流し込みをスムーズに且つ有効に行なわせることができ、また雨水等が支柱取付基材４の内部へ侵入するおそれがない。
【００２５】
また、この実施形態では、支柱取付基材４を筒状からなるものとしたが、この支柱取付基材４は中実状のものとしてもよい。但し、支柱取付基材４を中実状のもので形成した場合は、材料コストが高くつくことから、実施形態のように筒状からなるものがよい。
【００２６】
また、支柱取付基材４を筒状からなるものとした場合、この基材４には必ずしもグラウト材流込用の長孔８を設けなくてもよいが、手摺り支柱５内の上部側に侵入した雨水等が支柱取付基材４内に入り込むようなことがあれば、支柱取付基材４内の下部側が腐食するおそれがある。従って、支柱取付基材４には、この実施形態に示すように、グラウト材流込用の長孔８を設けることにより、支柱取付基材４内にも、グラウト材６を堰壁上面１ａとほぼ面一のレベルまで充填でき、それによって支柱取付基材４の内部をシールできると共に、支柱取付基材４をその内周側と外周側の両側からグラウト材６で保持することにより、支柱取付基材４を支柱取付穴２内に強固に固定することができる。
【００２７】
また実施形態では、手摺り支柱５の下端部にボルト挿通孔１１を設け、筒状の支柱取付基材４に固定位置調整用の長孔１０を設け、これらボルト挿通孔１０と固定位置調整用長孔１１とにボルト１２を挿通してナット１３で締め付けることによって、手摺り支柱５の下端部を所要高さ位置で支柱取付基材４に固定しているが、このようなボルト・ナットを使用せず、手摺り支柱５の下端部を支柱取付基材４に所要高さ位置に外嵌した状態で手摺り支柱５を外部から適当な保持手段で保持するようにしてもよい。しかしながら、実施形態のような構成にすれば、手摺り支柱５を支柱取付基材４に対し簡単容易に所要高さ位置に保持することができ、また支柱取付基材４側に設けた固定位置調整用の長孔１０により、支柱取付基材４内へのグラウト材６の流し込みを促進することができる。
【００２８】
そして、この発明に係る手摺り支柱の取付構造では、図２に示すように、支柱側長孔７の支柱側長孔７の上端が堰壁上面１ａよりも上位に位置し、支柱取付穴２に注入して固化したグラウト材６の上面レベルが、手摺り支柱５の内外において堰壁上面１ａとほぼ面一となるようにしたから、雨水等が、手摺り支柱５の上端部に取り付けられる笠木等との結合部やビス孔等の微小隙間から毛細管現象によって手摺り支柱５内に侵入し、その侵入した雨水等が手摺り支柱５と支柱取付基材４との間の空間部Ｓに溜まるようなことがあれば、その雨水等を、支柱側長孔７の上部から手摺り支柱５の外部に排出させることができ、従って雨水等の侵入による手摺り支柱５の破損を確実に回避することができる。
【００２９】
また支柱取付穴２に注入するグラウト材６は、セメント系の無収縮グラウト材からなるため、施工直後における支柱取付穴２内のグラウト材６の上面レベルが堰壁１の上面１ａとほぼ面一状態であれば、グラウト材６は、硬化後もその上面レベルを維持することができる。
【符号の説明】
【００３０】
１            堰壁
１ａ          堰壁上面
２            支柱取付穴
３            アンカー金物
４            支柱取付基材
５            手摺り支柱
６            グラウト材
７            支柱側のグラウト材流込用長孔
８            基材側のグラウト材流込用長孔
【図１】
2014133976.tif 000003
【図２】
2014133976.tif 000004
【図３】
2014133976.tif 000005
【図４】
2014133976.tif 000006